(57)【特許請求の範囲】
【請求項１】
２つの第１のカードを装着できるカード装着機構において、
互いに平行に所定間隔をもって設置されている一対のガイドフレームと、該ガイドフレームが設けられているベースプレートと、前記ガイドフレームの一端部側を橋渡すように前記ガイドフレームに保持されているコネクタと、前記第１のカードを挿入方向へスライド移動可能にして前記コネクタに前記第１のカードを接続するよう前記ガイドフレーム間でかつ前記ベースプレート上において２つの前記第１のカードを隣接して収容可能な２つのカード受容部と、前記挿入方向へ前記第１のカードをガイドするよう前記ベースプレート上に位置しているガイド部材とを有し、
前記ガイド部材は、第１のガイド部と、該第１のガイド部材に連結されている第２のガイド部とを有し、
前記第１及び第２のガイド部は、前記カード受容部に前記第１のカードが未挿入の状態にあるときに前記挿入方向と交差する第１の位置に配置されかつ前記挿入方向に平行となる第２の位置から前記第１の位置側へ回転移動する第１の回転方向と、該第１の回転方向への回転移動とは逆向きの第２の回転方向とにおいて回転移動が可能であり、
前記第２のガイド部は、前記ベースプレートに設けられている軸部によって回転可能に軸支されており、前記軸部は前記カード受容部内に隣接して収容可能な２つの前記第１のカード間の境界に位置しており、
前記第１及び第２のガイド部は、一方の前記第１のカードが一方の前記カード受容部へ挿入されるときに一方の前記第１のカードと当接することによって共に前記第２の回転方向に回転して前記第２の位置へ回転移動することにより一方の前記第１のカードに隣接して挿入される他方の前記第１のカードが他方の前記カード受容部に挿入されるときに他方の前記第１のカードは前記第１のガイド部及び他方の前記ガイドフレームによってガイドされて前記コネクタと接続するようにされており、
一方の前記ガイドフレームと前記軸部との間よりも広い巾をもちかつ前記挿入方向で前記軸部及び前記第１のガイド部に対向する前記挿入方向側を切り欠き形状とすることによって形成されている段差部をもつ第２のカードを前記カード受容部へ挿入したときに、前記第２のカードが前記第２のガイド部に当接することによって前記第２のガイド部を前記第１の位置から前記第２の回転方向で前記第２の位置へ回転移動しかつ前記段差部が前記第１のガイド部に当接することによって前記第１のガイド部を前記第１の回転方向へ回転移動させることを特徴とするカード装着機構。
【請求項２】
請求項１記載のカード装着機構において、前記第２のガイド部は前記挿入方向に延長している延長部分を有し、該延長部分の延長端部にはバネ固定部が形成されており、前記軸部を挟んで前記第１のガイド部の前記第１の位置とは反対側のベースプレートと前記バネ固定部とが前記第２のガイド部を前記第１の回転方向へ常時付勢する引張りコイルバネによって連結されていることを特徴とするカード装着機構。
【請求項３】
請求項１記載のカード装着機構において、前記ガイド部材には、前記第１及び第２のガイド部を連結した連結軸部と、前記第１の位置及び前記第２の位置に前記第１及び第２のガイド部を常時付勢するよう前記連結軸部に設けたバネ部材とが設けられていることを特徴とするカード装着機構。
【発明の詳細な説明】
【技術分野】
【０００１】
本発明は、複数のカードを装着する電子機器に用いられるカード装着機構に関するものである。
【背景技術】
【０００２】
従来のカード装着機構としては、機器ケース内にスライド自在に設けられてカードが着脱自在に装着されるカード装着板を有するものがある。カード装着板のスライド方向と直交する両側部には、カードの両側面をガイドするガイド壁が立設されている。
【特許文献１】特開平８−７０４７号公報
【発明の開示】
【発明が解決しようとする課題】
【０００３】
従来技術では、カードの両側面をガイドするガイド壁が固定されているので、余分なスペースが必要である。
【０００４】
また、幅の異なるカードのみを挿入した場合には、カード２枚分のスペースを必要とするので小型の電子機器のような製品に搭載できないとう問題がある。
【０００５】
また、コネクタを備えているカード装着機構では、外形寸法が大きいほど実装の際の認識エラー、搭載エラー、リフロー半田後の半田付け不良などの問題がある。
【０００６】
さらに、複数のカードが挿入可能なカード受容部の場合、間口を大きくしておく必要があり、誤挿入を起こすなど操作性に問題がある。
【課題を解決するための手段】
【０００７】
本発明によれば、２つの第１のカードを装着できるカード装着機構において、互いに平行に所定間隔をもって設置されている一対のガイドフレームと、該ガイドフレームが設けられているベースプレートと、前記ガイドフレームの一端部側を橋渡すように前記ガイドフレームに保持されているコネクタと、前記第１のカードを挿入方向へスライド移動可能にして前記コネクタに前記第１のカードを接続するよう前記ガイドフレーム間でかつ前記ベースプレート上において２つの前記第１のカードを隣接して収容可能な２つのカード受容部と、前記挿入方向へ前記第１のカードをガイドするよう前記ベースプレート上に位置しているガイド部材とを有し、前記ガイド部材は、第１のガイド部と、該第１のガイド部材に連結されている第２のガイド部とを有し、前記第１及び第２のガイド部は、前記カード受容部に前記第１のカードが未挿入の状態にあるときに前記挿入方向と交差する第１の位置に配置されかつ前記挿入方向に平行となる第２の位置から前記第１の位置側へ回転移動する第１の回転方向と、該第１の回転方向への回転移動とは逆向きの第２の回転方向とにおいて回転移動が可能であり、前記第２のガイド部は、前記ベースプレートに設けられている軸部によって回転可能に軸支されており、前記軸部は前記カード受容部内に隣接して収容可能な２つの前記第１のカード間の境界に位置しており、前記第１及び第２のガイド部は、一方の前記第１のカードが一方の前記カード受容部へ挿入されるときに一方の前記第１のカードと当接することによって共に前記第２の回転方向に回転して前記第２の位置へ回転移動することにより一方の前記第１のカードに隣接して挿入される他方の前記第１のカードが他方の前記カード受容部に挿入されるときに他方の前記第１のカードは前記第１のガイド部及び他方の前記ガイドフレームによってガイドされて前記コネクタと接続するようにされており、一方の前記ガイドフレームと前記軸部との間よりも広い巾をもちかつ前記挿入方向で前記軸部及び前記第１のガイド部に対向する前記挿入方向側を切り欠き形状とすることによって形成されている段差部をもつ第２のカードを前記カード受容部へ挿入したときに、前記第２のカードが前記第２のガイド部に当接することによって前記第２のガイド部を前記第１の位置から前記第２の回転方向で前記第２の位置へ回転移動しかつ前記段差部が前記第１のガイド部に当接することによって前記第１のガイド部を前記第１の回転方向へ回転移動させることを特徴とするカード装着機構が得られる。
【発明の効果】
【０００８】
本発明のカード装着機構では、１枚のカードの挿入と同時にガイドとして機能し、所定の場所へ移動した後、もう１枚のカードを挿入する際にもガイドとして機能するので複数からなるカード受容部にカードを挿入する際に、操作性が向上する。
【０００９】
また、接続部が同一形状で外形形状が異なるカードの挿入時にもガイド機能が互いの接続部に案内されるので誤挿入を防止することができる。
【００１０】
以上のように、本発明によると外形形状を拡大せずに、複数のカードを挿入しても、誤挿入などによる機器の破損を防止することが可能なカード装着機構を提供することができる。
【発明を実施するための最良の形態】
【００１１】
本発明のカード装着機構は、２つの第１のカードを装着できるカード装着機構において、互いに平行に所定間隔をもって設置されている一対のガイドフレームと、該ガイドフレームが設けられているベースプレートと、前記ガイドフレームの一端部側を橋渡すように前記ガイドフレームに保持されているコネクタと、前記第１のカードを挿入方向へスライド移動可能にして前記コネクタに前記第１のカードを接続するよう前記ガイドフレーム間でかつ前記ベースプレート上において２つの前記第１のカードを隣接して収容可能な２つのカード受容部と、前記挿入方向へ前記第１のカードをガイドするよう前記ベースプレート上に位置しているガイド部材とを有し、前記ガイド部材は、第１のガイド部と、該第１のガイド部材に連結されている第２のガイド部とを有し、前記第１及び第２のガイド部は、前記カード受容部に前記第１のカードが未挿入の状態にあるときに前記挿入方向と交差する第１の位置に配置されかつ前記挿入方向に平行となる第２の位置から前記第１の位置側へ回転移動する第１の回転方向と、該第１の回転方向への回転移動とは逆向きの第２の回転方向とにおいて回転移動が可能であり、前記第２のガイド部は、前記ベースプレートに設けられている軸部によって回転可能に軸支されており、前記軸部は前記カード受容部内に隣接して収容可能な２つの前記第１のカード間の境界に位置しており、前記第１及び第２のガイド部は、一方の前記第１のカードが一方の前記カード受容部へ挿入されるときに一方の前記第１のカードと当接することによって共に前記第２の回転方向に回転して前記第２の位置へ回転移動することにより一方の前記第１のカードに隣接して挿入される他方の前記第１のカードが他方の前記カード受容部に挿入されるときに他方の前記第１のカードは前記第１のガイド部及び他方の前記ガイドフレームによってガイドされて前記コネクタと接続するようにされており、一方の前記ガイドフレームと前記軸部との間よりも広い巾をもちかつ前記挿入方向で前記軸部及び前記第１のガイド部に対向する前記挿入方向側を切り欠き形状とすることによって形成されている段差部をもつ第２のカードを前記カード受容部へ挿入したときに、前記第２のカードが前記第２のガイド部に当接することによって前記第２のガイド部を前記第１の位置から前記第２の回転方向で前記第２の位置へ回転移動しかつ前記段差部が前記第１のガイド部に当接することによって前記第１のガイド部を前記第１の回転方向へ回転移動させることによって実現する。
【実施例１】
【００１２】
図１乃至図４は、本発明に係るカード装着機構の実施例１を示している。図１乃至図４を参照してカード装着機構は、互いに平行に所定間隔をもって設置されている一対のガイドフレーム１１と、一対のガイドフレーム１１を上面に設置しているベースプレート１３と、一対のガイドフレーム１１の一端部側を橋渡すように一対のガイドフレーム１１に両端が保持されているコネクタ１５と、第１のカード３１を挿入方向Ａへスライド移動可能にしてコネクタ１５に第１のカード３１を接続するように一対のガイドフレーム１１間でかつベースプレート１３上において２つの第１のカード３１を隣接して収容可能な第１及び第２のカード受容部１３ａ，１３ｂと、挿入方向Ａへ第１のカード３１をガイドするようにベースプレート１３上に位置しているガイド部材１７とを有している。
【００１３】
ベースプレート１３は、一対のガイドフレーム１１間がガイド部材１７によって第１のカード受容部１３ａと第２のカード受容部１３ｂとに別けられている。図２においては、紙面の左右に並列に２つの同じ形状の第１のカード３１が装着された状態を示している。
【００１４】
互いに平行に対向している一対のガイドフレーム１１の内面には、フレームガイド溝１１ａが形成されている。ベースプレート１３は、図示しない機器に実装される。具体的には、ベースプレート１３は、ガイドフレーム１１に形成されているネジ穴１１ｂにネジを挿入して，機器に搭載されているプリント回路基板に固定される。
【００１５】
コネクタ１５は、インシュレータ１５ａと、このインシュレータ１５ａに設けられている複数の導電性コンタクト２１とを有している。コンタクト２１は、ＩＣカードのような板形状のカード３１のカード側接触部（図示せず）に接触する接触部２１ａと、インシュレータ１５ａに保持されている保持部（図示せず）と、保持部からインシュレータ１５ａの外へ延びている端子部２１ｃとを有している。端子部２１ｃは、プリント回路基板に形成されている導電部に半田によって接続される。
【００１６】
ガイド部材１７は、ベースフレーム１３と軸部４１によって回転可能に係止されて第１及び第２のカード受容部１３ａ，１３ｂを分けるように略中央に位置しており、第１のカード３１をガイドするガイド機構の役割のみならず挿入される第１のカード３１の形状に応じて第１のカード３１に当接して回転する。
【００１７】
ガイド部材１７は、１枚の第１のカード３１が第１のカード受容部１３ａに挿入されている状態で、この第１のカード３１に隣接してもう一枚の同形状の第１のカード３１を第２のカード受容部１３ｂに挿入することができる。この場合には、２枚の第１のカード３１の境界となるように位置するガイド部材１７が挿入ガイドとして機能する。
【００１８】
ガイド部材１７は、回転可能な第１のガイド部１７ａと、この第１のガイド部１７ａに連結されている第２のガイド部１７ｂとを有している。図１に示したカード装着機構において、第１のカード受容部１３ａ及び第２のカード受容部１３ｂのそれぞれに第１のカード３１が挿入されていない未挿入の状態では、ガイド部材１７がベースプレート１３に第１のガイド部１７ａを回転可能に軸支した軸部４１を中心として右側へ傾いている。第１及び第２のガイド部１７ａ，１７ｂは、第１及び第２のカード受容部１３ａ，１３ｂに第１のカード３１が未挿入の状態にあるときに挿入方向Ａと交差する第１の位置に配置されかつ挿入方向Ａに平行となる第２の位置から第１の位置側へ回転移動する第１の回転方向Ｃと、第１の回転方向Ｃへの回転移動とは逆向きの第２の回転方向Ｂとにおいて回転移動が可能となっている。
【００１９】
ベースプレート１３には、一対のガイドフレーム１１が所定間隔をもって互いに平行になるように一体に設けられている。第１のカード３１は、コネクタ１５を設けたベースプレート１３の一端部とは反対側のベースプレート１３の挿入側からベースプレート１３の奥部へ一対のガイドフレーム１１にガイドされながらベースプレート１３面にそって挿入方向Ａへスライド移動して第１のカード受容部１３ａ及び第２のカード受容部１３ｂに収容される。
【００２０】
さらに、ガイド部材１７には、第１及び第２のガイド部１７ａ,１７ｂを連結した連結軸部４４と、第１の位置及び第２の位置に第１及び第２のガイド部１７ａ，１７ｂを常時付勢するように連結軸部４４に設けたバネ部材４３とが設けられている。第２のガイド部１７ｂには、連結軸部４４が形成されている。連結軸部４４には、第１及び第２のガイド部１７ａ，１７ｂが回転可能に軸支されている。第１及び第２のガイド部１７ａ，１７ｂは、これらが連結軸部４４に設けられているバネ部材４３により一直線状になるように常時付勢されている。
【００２１】
軸部４１は、第２のガイド部１７ｂをベースプレート１３面に対して平行な方向でかつ挿入方向Ａ及び挿入方向Ａを交差する方向へ回転可能となすように軸支している。連結軸部４４に設けたバネ部材４３は、第１及び第２のガイド部１７ａ，１７ｂが一直線状になるように常時付勢されている状態から、第２のガイド部１７ｂに対して第１のガイド部１７ａがベースプレート１３面に対して平行な方向で角度をもって回転するように第１及び第２のガイド部１７ａ，１７ｂを付勢している。
【００２２】
バネ部材４３は、第１及び第２のガイド部１７ａ，１７ｂが挿入方向Ａに対して斜めの角度になっている状態においても付勢している。すなわち、図１に実線によって示したように、第１のカード３１が未挿入である状態において第１のガイド部１７ａが第２のカード受容部１３ｂに位置しており、第２のガイド部材１７ｂの一部が第１のカード受容部１３ａに位置している。
【００２３】
したがって、第１のガイド部１７ａは、ガイド部材１７の軸部４１よりも手前側部分が第２のカード受容部１３ｂに位置していることによって、第１のガイド部１７ａの先端部分がベースプレート１３に形成されている第１の回転ストッパー部４５により所定位置の角度で固定される。よって、第１のガイド部１７ａは、第２のカード受容部１３ｂへ第１のカード３１が挿入されることを防止し、第１のカード受容部１３ａへカード３１が挿入されるようにガイドする。
【００２４】
第１のカード３１が未挿入状態では、第１のガイド部１７ａの先端が第１の回転ストッパー部４５に当接するまで第１の回転方向Ｃへ回転するため、ガイド部材１７は第２のカード受容部１３ｂ側に傾いた位置で固定される。
【００２５】
ガイド部材１７には、第１のカード３１が挿入される際にガイドとして機能するようにガイド溝１７ｄが形成されている。ガイド部材１７は、前述した軸部４１及び連結軸部４４を中心に挿入方向Ａ及び第１の回転方向Ｃへ移動することができる。ガイド部材１７は、第１のカード３１が挿入されたときに可動し第１のカード３１を離脱した後は、第２のカード受容部１３ｂへ位置している状態の付勢形状に復帰する。実施例１では、プリント回路基板上にベースプレート１３が搭載されており、第１のカード３１の装着が可能な状態となっている。
【００２６】
ベースプレート１３及び第２のガイド部１７ｂ間は、引張りコイルバネ４９によって連結されている。第２のガイド部１７ｂはベースプレート１３に設けられている軸部４１に回転可能に固定されている。第２のガイド部１７ｂは、挿入方向Ａへ延長している延長部分を有している。第２のガイド部１７ｂの延長部分の延長端部はコネクタ１５の背面側まで延長されており、第２のガイド部１７ｂの延長端部にはバネ固定部１７ｃが形成されている。このバネ固定部１７ｃには、引張りコイルバネ４９の一方のフック４９ａが引っ掛けられている。軸部４１を挟んで第１のガイド部１７ａの第１の位置とは反対側のベースプレート１３とバネ固定部１７ｃとは、第２のガイド部１７ｂを第１の回転方向Ｃへ常時付勢する引張りコイルバネ４９によって連結されている。
【００２７】
引張りコイルバネ４９の他方のフック４９ｂは、ベースプレート１３に形成されている引掛片１３ｅに引っかけられている。したがって、ガイド部材１７は軸部４１を中心として、第１の回転方向Ｃの向きに常時付勢される。
【００２８】
以下、図５乃至図９を参照して、カード装着機構に第１のカード３１を装着する操作を説明する。なお、図１、図５及び図６に示したカード装着機構では、第１のカード３１を挿入する前の状態を示している。
【００２９】
図１、図５及び図６に示すように、第１のカード３１が第１及び第２のカード受容部１３ａ，１３ｂに挿入されていない場合には、ガイド部材１７が挿入方向Ａに対して交差する方向に開いた状態で静止している。すなわち、第１のガイド部１７ａは、第１の回転ストッパー部４５によって固定されている。
【００３０】
第１のカード３１をベースプレート１３の第１のカード受容部１３ａに沿ってベースプレート１３の奥部に設けられているコネクタ１５へ挿入していくと、図７に示すように、第２のガイド部１７ｂに当接する。このとき、第２のガイド部１７ｂは、第１のカード３１が当接することにより押圧されてガイド部材１７が軸部４１を中心としてガイドフレーム１１と平行な位置へ向かって第１及び第２のガイド部１７ａ，１７ｂがともに第１の回転方向Ｃとは逆向きの第２の方向Ｂへかつ第１のガイド部１７ａと第２のガイド部１７ｂとが同一方向に回転する。さらに、第１のカード３１を挿入していくと、図８に示すように、ガイドフレーム１１と平行にかつ挿入方向Ａに平行な位置へガイド部材１７が回転して移動し、コネクタ１５のコンタクト２１とカード３１のカード接触部が接触する。このときの第１及び第２のガイド部１７ａ，１７ｂの位置は、図１において第１及び第２のガイド部１７ａ´，１７ｂ´、バネ固定部１７ｃ´として示した。
【００３１】
その後、図９に示すように第２のカード受容部１３ｂへもう1枚の第１のカード３１を挿入する。この際、第１のカード３１は、一方側のガイドフレーム１１のフレームガイド溝１１ａとガイド部材１７のガイド溝１７ｄにガイドされて、コネクタ１５のコンタクト２１と第１のカード３１のカード接触部が接触する。
【００３２】
また、第１及び第２のカード受容部１３ａ,１３ｂには、第１のカード３１とは形状が異なるカード、例えば、図１０に示すような第２のカード５１を装着することができる。第２のカード５１は、一方のガイドフレーム１１と軸部４１との間よりも広い巾をもち、かつ挿入方向Ａで軸部４１及び第１のガイド部１７ａに対向する挿入方向Ａ側を切り欠き形状とすることによって形成されている段差部５１ｃを有する。第２のカード５１を挿入する時には、第１のガイド部１７ａがガイドとして機能し、図１１及び図１２に示すように第２のカード５１が所定の位置に確実に装着されるように第２のカード５１の外形に沿って受容するようにすることもできる。
【００３３】
第１のガイド部１７ａは、図１０に示したような第２のカード５１が挿入されたときに、第２のカード５１の形状に沿って第１の回転方向Ｃへ回転する。第２のカード５１を挿入する時には、図１１に示すように、カード５１の先端と第２のガイド部１７ｂが当接して押されることによって第２のガイド部材１７ｂが第２のガイド部１７ｂを第１の位置から第２の位置へ第２の回転方向Ｂで回転し始める。その後、第２のカード５１の外形部分に形成されている段差部５１ｃと第１のガイド部材１７ａとが当接し、第１のガイド部１７ａはバネ部材４３の付勢力に反して第１の回転方向Ｃへ回転移動し、図１２に示すようにガイド部材１７が第２のカード５１の外形に沿った形態となる。この状態において、第１のガイド部材１７ａはベースプレート１３に設けられている第２の回転ストッパー部４６によって固定される。なお、このときの第１のガイド部材１７ａの位置は、図１において第１のガイド部材１７ａ″によって示した。
【００３４】
このように、ガイド部材１７は、異なる形状の第２のカード５１が挿入される場合においても第２のカード５１の形状に応じて振れ曲がるような動作により第２のカード５１の装着が可能である。また、異形状で特に大型のカードが装着される場合には、カードとの干渉を防ぐ目的で自在に受容可能となる。
【００３５】
さらに、第１及び第２のカード３１，５１を抜去した後は、ガイド部材１７や、ガイド部材１７及びベースフレーム１３間に設けられたバネ部材４３が作用し、元の位置へ戻ることができる。
【００３６】
このように、第１及び第２のカード３１，５１のどちらの場合でも、カード抜去後のガイド部材１７は、引張りコイルバネ４９やバネ部材４３の荷重によりカード未挿入状態に復帰する。
【００３７】
なお、この実施例ではガイドフレームは、ベースプレート１３上に組み込まれているが、両者の位置は上下逆にしてもよい。
【産業上の利用可能性】
【００３８】
本発明のコネクタは、カードとして補助的なメモリとして用いるＳＤメモリカードやメモリスティック、ディスクカードなどを利用するＰＤＡ、携帯電話器などの機器に対して不可欠な用途にも適用できる。
【図面の簡単な説明】
【００３９】
【図１】本発明に係るカード装着機構の実施例１を示す平面図である。
【図２】図１に示したカード装着機構に第１のカードが装着された状態を示す平面図である。
【図３】図１に示したカード装着機構の右側面図である。
【図４】図２に示したカード装着機構の正面図である。
【図５】図１に示したカード装着機構に第１のカードを挿入する前の状態を示した斜視図である。
【図６】図１に示したカード装着機構に第１のカードを挿入する前の状態を示した平面図である。
【図７】図６に示したカード装着機構に第１のカードを挿入する途中の状態を示した斜視図である。
【図８】図７に示したカード装着機構に第１のカードを挿入した状態を示した平面図である。
【図９】図８に示したカード装着機構に第１のカードを挿入した後に、もう１枚のカードを挿入する途中の状態を示した斜視図である。
【図１０】図１に示したカード装着機構に形状が異なる第２のカードを装着した状態を示した平面図である。
【図１１】図１０に示したカード装着機構に形状が異なる第２のカードを挿入する途中の状態を示した平面図である。
【図１２】図１１に示したカード装着機構に形状が異なる第２のカードを挿入した後の状態を示した斜視図である。
【符号の説明】
【００４０】
１１    ガイドフレーム
１１ａ    フレームガイド溝
１３    ベースプレート
１３ａ    第１のカード受容部
１３ｂ    第２のカード受容部
１５    コネクタ
１７    ガイド部材
１７´ 延長部分
１７ａ，１７ａ´，１７ａ″    第１のガイド部
１７ｂ，１７ｂ´    第２のガイド部
１７ｃ，１７ｃ´ バネ固定部
３１    第１のカード
４１    軸部
４３    バネ部材
４４    連結軸部
４５    第１の回転ストッパー部
４６    第２の回転ストッパー部
４９    引張りコイルバネ
５１    第２のカード
５１ｃ 段差部
Ａ 挿入方向
Ｂ 第２の回転方向
Ｃ 第１の回転方向
【図１】
0003812946.tif 000002
【図２】
0003812946.tif 000003
【図３】
0003812946.tif 000004
【図４】
0003812946.tif 000005
【図５】
0003812946.tif 000006
【図６】
0003812946.tif 000007
【図７】
0003812946.tif 000008
【図８】
0003812946.tif 000009
【図９】
0003812946.tif 000010
【図１０】
0003812946.tif 000011
【図１１】
0003812946.tif 000012
【図１２】
0003812946.tif 000013